(57)【要約】  振動低減アセンブリ（２００）が、（ｉ）シャフト（２４０）と、（ｉｉ）シャフトに沿って位置付けられ、第１の面（２１２）を有する、第１の構成要素（２１０）であって、第１の面は、第１の面で第１の磁極を有する磁石と第１の面で反対の磁極を有する磁石との間で交番するように位置付けられる複数の磁石（２３０）を含む、第１の構成要素と、（ｉｉｉ）シャフトに沿って位置付けられ、第１の面（２２２）を有する、第２の構成要素（２２０）であって、第１の面は、複数の強磁性延長部（２６０）を含む、第２の構成要素とを含み、第１の構成要素の第１の面は、調節可能な第１の距離を有する間隙（２８０）によって第２の構成要素の第１の面から分離され、複数の磁石のペアが、磁力を介して、強磁性延長部のそれぞれ１つと相互作用して、パーソナルケアデバイスのドライブトレーンからハウジング部分への振動を減少させる。
2020528985.tif 000002
【特許請求の範囲】
【請求項１】
パーソナルケアデバイスの振動低減アセンブリであって、
シャフトと、
該シャフトに沿って位置付けられ、複数の磁石を含む第１の面を有する、第１の構成要素であって、前記複数の磁石は、前記第１の面で第１の磁極を有する磁石と前記第１の面で反対の磁極を有する磁石との間で交番するように位置付けられる、第１の構成要素と、
前記シャフトに沿って位置付けられ、複数の強磁性延長部を含む、第２の構成要素とを含み、
前記第１の構成要素の前記第１の面は、調節可能な第１の距離を有する間隙によって前記第２の構成要素の前記第１の面から分離され、前記第１の構成要素及び前記第２の構成要素は、前記複数の磁石のペアが、磁力を介して、前記強磁性延長部のそれぞれ１つと相互作用して、前記パーソナルケアデバイスの移動生成器からハウジング部分への振動を減少させるように、位置付けられる、
振動低減アセンブリ。
【請求項２】
前記第２の構成要素は、前記シャフトに沿って調節可能に位置付けられる、請求項１に記載の振動低減アセンブリ。
【請求項３】
前記第１の構成要素は、前記シャフトに沿って調節可能に位置付けられる、請求項１に記載の振動低減アセンブリ。
【請求項４】
前記第１及び第２の構成要素は、実質的に丸い、請求項１に記載の振動低減アセンブリ。
【請求項５】
前記複数の磁石は、前記第１の構成要素の前記第１の面の上で円内に略均等に離間して位置付けられる、請求項４に記載の振動低減アセンブリ。
【請求項６】
前記複数の強磁性延長部は、前記第２の構成要素の前記第１の面の上で円内に略均等に離間して位置付けられる、請求項４に記載の振動低減アセンブリ。
【請求項７】
当該振動低減アセンブリは、前記第１の距離を調節するように構成される調節機構を更に含む、請求項１に記載の振動低減アセンブリ。
【請求項８】
前記調節機構は、前記パーソナルケアデバイスのユーザによって調節可能であるように構成される、請求項７に記載の振動低減アセンブリ。
【請求項９】
振動低減アセンブリを収容するハウジング部分を含む、パーソナルケアデバイスであって、
前記振動低減アセンブリは、
シャフトと、
該シャフトに沿って位置付けられ、複数の磁石を含む第１の面を有する、第１の構成要素であって、前記複数の磁石は、前記第１の面で第１の磁極を有する磁石と前記第１の面で反対の磁極を有する磁石との間で交番するように位置付けられる、第１の構成要素と、
前記シャフトに沿って位置付けられ、複数の強磁性延長部を含む、第２の構成要素とを含み、
前記第１の構成要素の前記第１の面は、調節可能な第１の距離を有する間隙によって前記第２の構成要素の前記第１の面から分離され、前記第１の構成要素及び前記第２の構成要素は、前記複数の磁石のペアが、磁力を介して、前記強磁性延長部のそれぞれ１つと相互作用して、ドライブトレーンから前記ハウジング部分への振動を減少させるように、位置付けられる、
パーソナルケアデバイス。
【請求項１０】
前記第１の構成要素は、前記ハウジング部分に取り付けられる、請求項９に記載のパーソナルケアデバイス。
【請求項１１】
前記第２の構成要素は、前記シャフトに沿って調節可能に位置付けられる、請求項９に記載のパーソナルケアデバイス。
【請求項１２】
前記複数の磁石は、前記第１の構成要素の前記第１の面の上で円内に略均等に離間して位置付けられる、請求項９に記載のパーソナルケアデバイス。
【請求項１３】
前記複数の強磁性延長部は、前記第２の構成要素の前記第１の面の上で円内に略均等に離間して位置付けられる、請求項９に記載のパーソナルケアデバイス。
【請求項１４】
前記振動低減アセンブリは、前記第１の距離を調節するように構成される調節機構を含み、該調節機構は、当該パーソナルケアデバイスのユーザによって調節可能であるように構成される、請求項９に記載のパーソナルケアデバイス。
【請求項１５】
パーソナルケアデバイスの振動低減アセンブリであって、
複数の磁石を含む第１の面を有する第１の構成要素であって、前記複数の磁石は、前記第１の面で第１の磁極を有する磁石と前記第１の面で反対の磁極を有する磁石との間で交番するように位置付けられる、第１の構成要素と、
複数の強磁性延長部を含む第１の面を有する第２の構成要素とを含み、
前記第１の構成要素の前記第１の面は、第１の距離を有する間隙によって前記第２の構成要素の前記第１の面から分離され、前記第１の構成要素及び前記第２の構成要素は、前記複数の磁石のペアが、磁力を介して、前記強磁性延長部のそれぞれ１つと相互作用して、前記パーソナルケアデバイスのドライブトレーンからハウジング部分への振動を減少させるように、位置付けられ、
当該振動低減アセンブリは、前記第１の距離を調節するように構成される調節機構を含み、該調節機構は、前記パーソナルケアデバイスのユーザによって調節可能であるように構成される、
振動低減アセンブリ。
【発明の詳細な説明】
【技術分野】
【０００１】
本開示は、概して、パーソナルケアデバイス(personal  care  device)のドライブトレーンアセンブリ(drivetrain  assembly)のための調節可能な振動吸収器(振動アブソーバ)(vibration  absorber)に関する。
【背景技術】
【０００２】
動力歯ブラシ、シェーバ、顔面洗浄機、及び類似のデバイスのような、電気式パーソナルケアデバイスは、ヘッド機構を振動(oscillating)、往復動(reciprocating)、又は他のパターンで駆動させるためにドライブトレーンと係合するモータを有する。電気式パーソナルケアデバイスは、モータの振動力を回転移動に変換するドライブトレーンの構成要素である共振器も含む。アクチュエータ力はシステムの共振を励起し、それは低い入力動力で高い回転振幅を保証する。幾つかのデバイスは、機械的バネを含む機械的な共振器を含む。システムの慣性と共に、機械的バネは、システムの固有周波数を定める。他のデバイスは、磁気バネを含む、磁気共振器を含む磁気バネは、アクチュエータ内で鉄を引き付け、引付けの大きさは、磁石と鉄との間の距離に関係し、機械的バネと同等の磁気を生成する。駆動される慣性と共に、磁気バネは、システムの固有振動数を定める。
【０００３】
共振アクチュエータは、動作中に使用者によって感知されて望ましくないものとして知覚され得る望ましくない振動を、パーソナルケアデバイスのハンドルに伝達し得るので、多くのパーソナルケアデバイスは、振動相殺を利用する。例えば、幾つかのモータは、振動を相殺するために、バネと懸架されるか或いは他の方法で係合される。しかしながら、これらの振動相殺方法は、パーソナルケアデバイスの複雑さを増加させ、各個別のパーソナルケアデバイスの特異な動作周波数に適応せず、それによって、相殺の有効性を減少させる。
【発明の概要】
【発明が解決しようとする課題】
【０００４】
従って、パーソナルケアデバイスのドライブトレーンによって生成される望ましくない振動を減少させる調節可能な振動吸収器の必要がある。
【課題を解決するための手段】
【０００５】
本開示は、調節可能な振動吸収器を含む発明的な振動低減アセンブリに向けられている。電気歯ブラシ、顔面洗浄機、又はシェーバのような、動力付きパーソナルケアデバイスに適用されるとき、発明的なシステムは、デバイスの特異な動作周波数に適応することができる振動低減アセンブリを提供し、それによって、望ましくない振動を減少させる。振動低減アセンブリは、交番磁極の半径方向磁化パターンを有する第１の構成要素と、共振システムのための振動相殺機構を形成する半径方向磁極構造を備える強磁性材料を含む第２の構成要素とを含む。第１の構成要素及び第２の構成要素は、調節可能な距離を有する空隙によって分離され、空隙を調節することは、回転磁石の剛性を調節又は微調整し、よって、振動相殺機構を調節又は微調整する。
【０００６】
一般的に、１つの態様において、パーソナルケアデバイスのための振動低減アセンブリが提供される。振動低減アセンブリは、（ｉ）シャフトと、（ｉｉ）シャフトに沿って位置付けられ、複数の磁石を含む第１の面を有する、第１の構成要素であって、複数の磁石は、第１の面で第１の磁極を有する磁石と第１の面で反対の磁極を有する磁石との間で交番するように位置付けられる、第１の構成要素と、（ｉｉｉ）シャフトに沿って位置付けられ、複数の強磁性延長部を含む、第２の構成要素とを含み、第１の構成要素の第１の面は、第１の距離を有する間隙によって第２の構成要素の第１の面から分離され、第１の構成要素及び第２の構成要素は、複数の磁石のペアが、磁力を介して、強磁性延長部のそれぞれ１つと相互作用して、パーソナルケアデバイスのドライブトレーンからハウジング部分への振動を減少させるように、位置付けられ、第１の距離は、調節可能である。
【０００７】
ある実施形態によれば、第２の構成要素は、シャフトに沿って調節可能に位置付けられる。ある実施形態によれば、第１の構成要素は、シャフトに沿って調節可能に位置付けられる。
【０００８】
ある実施形態によれば、第１及び第２の構成要素は、実質的に丸い（円形である）。ある実施形態によれば、複数の磁石は、第１の構成要素の第１の面の上で円内に位置付けられる。ある実施形態によれば、複数の強磁性延長部は、第２の構成要素の第１の面の上で円内に位置付けられる。
【０００９】
ある実施形態によれば、ドライブトレーンアセンブリは、第１の距離を調節するように構成される調節機構を含む。ある実施形態によれば、調節機構は、パーソナルケアデバイスのユーザによって調節可能であるように構成される。
【００１０】
一般的に、１つの態様において、パーソナルケアデバイスがある。パーソナルケアデバイスは、ハウジング部分と、振動低減アセンブリとを含み、振動低減アセンブリは、（ｉ）シャフトと、（ｉｉ）シャフトに沿って位置付けられ、複数の磁石を含む第１の面を有する、第１の構成要素であって、複数の磁石は、第１の面で第１の磁極を有する磁石と第１の面で反対の磁極を有する磁石との間で交番するように位置付けられる、第１の構成要素と、（ｉｉｉ）シャフトに沿って位置付けられ、複数の強磁性延長部を含む、第２の構成要素とを含み、第１の構成要素の第１の面は、第１の距離を有する間隙によって第２の構成要素の第１の面から分離され、第１の構成要素及び第２の構成要素は、複数の磁石のペアが、磁力を介して、強磁性延長部のそれぞれ１つと相互作用して、ドライブトレーンからハウジング部分への振動を減少させるように、位置付けられ、第１の距離は、調節可能である。
【００１１】
一般的に、１つの態様において、パーソナルケアデバイスのための振動低減アセンブリが提供される。振動低減アセンブリは、（ｉ）複数の磁石を含む第１の面を有する第１の構成要素であって、複数の磁石は、第１の面で第１の磁極を有する磁石と第１の面で反対の磁極を有する磁石との間で交番するように位置付けられる、第１の構成要素と、（ｉｉ）複数の強磁性延長部を含む第１の面を有する第２の構成要素とを含み、第１の構成要素の第１の面は、第１の距離を有する間隙によって第２の構成要素の第１の面から分離され、第１の構成要素及び第２の構成要素は、複数の磁石のペアが、磁力を介して、強磁性延長部のそれぞれ１つと相互作用して、パーソナルケアデバイスのドライブトレーンからハウジング部分への振動を減少させるように、位置付けられ、振動低減アセンブリは、（ｉｉｉ）第１の距離を調節するように構成される調節機構を含み、調節機構は、パーソナルケアデバイスのユーザによって調節可能であるように構成される。
【００１２】
前述の概念及び以下でより詳細に議論される追加的な概念の全ての組み合わせは（そのような概念が相互に矛盾しない限り）本明細書に開示される本発明の主題の一部であると想定されることが理解されるべきである。特に本開示の末尾に現れる請求項の主題は、本明細書に開示される発明的な主題の一部であると想定される。
【００１３】
本発明のこれらの態様及び他の態様は、以下に記載する（複数の）実施形態から明らかであり、それ（それら）を参照して解明されるであろう。
【００１４】
図面において、同等の参照符号は、概して、異なる図を通じて同じ部品を指している。また、図面は、必ずしも縮尺通りでなく、代わりに、概して強調を置いて、本発明の原理を例示している。
【図面の簡単な説明】
【００１５】
【図１】ある実施形態に従ったパーソナルケアデバイスの概略図である。
【００１６】
【図２】ある実施形態に従ったパーソナルケアデバイスの振動低減アセンブリの概略図である。
【００１７】
【図３】ある実施形態に従ったパーソナルケアデバイスの振動低減アセンブリの切欠図である。
【００１８】
【図４】ある実施形態に従った振動低減アセンブリの一部分の概略図である。
【００１９】
【図５】ある実施形態に従った振動低減アセンブリの一部分の概略図である。
【００２０】
【図６】ある実施形態に従った振動低減アセンブリの一部分の概略図である。
【００２１】
【図７】ある実施形態に従った振動低減アセンブリの一部分の概略図である。
【００２２】
【図８】ある実施形態に従った振動低減アセンブリの一部分の概略図である。
【００２３】
【図９】ある実施形態に従ったパーソナルケアデバイスのドライブトレーン及び振動低減アセンブリの概略図である。
【００２４】
【図１０】ある実施形態に従ったパーソナルケアデバイスの振動低減アセンブリの概略図である。
【００２５】
【図１１】ある実施形態に従ったパーソナルケアデバイスの振動低減アセンブリの概略図である。
【００２６】
【図１２】ある実施形態に従ったパーソナルケアデバイスのドライブトレーン及び振動低減アセンブリの概略図である。
【発明を実施するための形態】
【００２７】
本開示は、電気式パーソナルケアデバイス(electric  personal  care  device)のための振動低減アセンブリ(vibration  reduction  assembly)のためのデバイスの様々な実施形態を記載する。より一般的には、出願人は、電気式パーソナルケアデバイスの特異な動作周波数に適応し得る振動低減アセンブリを提供することが有益であることを認識し且つ理解した。従って、本明細書に記載する或いはさもなければ本明細書で想定されるシステムは、調節可能な振動吸収器(振動アブソーバ)(vibration  absorber)を含む振動低減アセンブリを備える、電気式歯ブラシ又はシェーバのような、パーソナルケアデバイスを提供する。振動低減アセンブリは、交番磁極(alternating  poles)の半径方向磁化パターンを有する第１の構成要素と、半径方向磁極構造(radial  pole  structure)を備える強磁性材料を含む第２の構成要素とを含む。第１の構成要素及び第２の構成要素は、調節可能な距離を有する空隙によって分離され、空隙を調節することは、回転磁石の剛性を調節又は微調整し、よって、振動相殺機構(vibration  cancellation  mechanism)を調節又は微調整する。
【００２８】
本明細書中の実施形態及び実装の利用の特定の目標は、例えば、（Koninklijke  Philips  Electronics,  N.V.によって製造される）Philips  Sonicare（ＴＭ）歯ブラシのような、口腔洗浄デバイスのためのアセンブリを提供することであるが、このアセンブリは、舌スクレーパ(tongue  scrapers)、フロス装置(flossers)、シェーバ(shavers)、顔面洗浄機(face  cleaners)、及び多くの他のデバイスを含む、多くの他のパーソナルケアデバイスと共に利用されてよい。
【００２９】
図１を参照すると、１つの実施形態において、ハウジング部分１２を含む本体部分１２と、本体部分２０に取り付けられるヘッド部材１４とを含む、パーソナルケアデバイス１０が提供されている。ヘッド部材１４は、本体部分２０に対して移動し得るように取り付けられる。移動は、とりわけ、振動(oscillation)、振動(vibration)、又は回転(rotation)を含む、様々な異なる移動のいずれかであり得る。ヘッド部材１４は、本体部分２０に固定的に取り付けられることができ、或いは、ヘッド部材１４は、代替的に、ヘッド部材の構成要素が摩耗し交換を必要とするときにヘッド部材１４を新しいものと交換し得るよう、取り外し可能に取り付けられてよい。
【００３０】
本体部分ハウジング１２は、移動を生成する移動生成器２２(movement  generator)と、生成される移動をヘッド部材１４に伝達する伝達構成要素２４０(transmission  component)又はシャフトとを含む。例えば、移動生成器２２は、シャフト２４０の移動を生成する、ドライブトレーン、モータ又は（複数の）電磁石を含むことができ、シャフト２４０の移動は、引き続きヘッド部材１４に伝達される。移動生成器２２は、他の構成要素の中でも、電源、発振器、及び１つ又はそれよりも多くの電磁石のような、構成要素を含むことができる。電源は、図示しない１つ又はそれよりも多くの再充電可能なバッテリを含むことができ、再充電可能なバッテリは、例えば、パーソナルケアデバイス１０を使用していないときにパーソナルケアデバイス１０を配置する充電ホルダ内で電気的に充電され得る。本体部分ハウジングは、望ましくない振動を減少させるように構成される調節可能な振動吸収器を含む振動低減アセンブリ２００を更に含む。
【００３１】
本体部分２０は、移動生成器２２をアクティブ化(起動)及び非アクティブ化(停止)するユーザ入力２６を更に備える。ユーザ入力２６は、ユーザがパーソナルケアデバイス１０を作動させること、例えば、パーソナルケアデバイス１０をオンにすること及びオフにすることを可能にする。ユーザ入力２６は、例えば、ボタン、タッチスクリーン、又はスイッチであってよい。
【００３２】
図２を参照すると、１つの実施形態において、パーソナルケアデバイス１０の振動低減アセンブリ２００の一部がある。振動低減アセンブリ２００は、交番磁極２３０の半径方向磁化パターンを有する第１の構成要素２１０を含む。第１の構成要素２１０は、交番磁極の半径方向磁化パターンを備える磁化側２１２と、反対側２１４とを有する。振動低減アセンブリは、半径方向磁極構造を備える強磁性材料を含む第２の構成要素２２０を更に含む。第２の構成要素２２０は、第１の側２２２と、反対側２２４とを有し、少なくとも第１の側は、半径方向磁極構造を備える強磁性材料を含む。第２の構成要素２２０の第１の側２２２は、第１の構成要素２１０の磁化側２１２に面している。ある実施形態によれば、振動低減アセンブリは、第１の構成要素と第２の構成要素との間の距離の調節を可能にするよう、調節デバイス２５０によって囲まれたシャフト２４０を更に含む。この実施形態において、シャフト２４０は、調節デバイス２５０によって第２の構成要素２２０に調節可能に接続される。調節デバイス２５０は、図３に示すように複数のボールベアリング２５２又は板バネを含み、それらは第２の構成要素２２０とシャフト２４０との間の接続を容易にする。例えば、ボールベアリング２５２を含む調節デバイス２５０を備えるならば、磁石と磁極との間の引力は、ボールベアリングのガタツキを防止する予荷重をもたらす。第２の構成要素２２０は、第１の側２２２から第１の構成要素２１０の磁化側２１２に向かって延びる複数の延長部２６０を含んでもよい。図２には円形として示されているが、第１の構成要素２１０及び／又は第２の構成要素２２０は、様々な形状及びサイズであり得る。
【００３３】
図３を参照すると、１つの実施形態において、パーソナルケアデバイス１０の振動低減アセンブリ２００の頂面切欠図の概略的な表現がある。振動低減アセンブリ２００は、交番磁極の半径方向磁化パターンを備える磁化側２１２と、反対側２１４とを備える、第１の構成要素２１０を含む。ある実施形態によれば、第１の構成要素２１０は、図４に示すように、開口２１６を含み或いは定め、開口２１６は、シャフト２４０が構成要素を横断することを可能にする。振動低減アセンブリ２００は、半径方向磁極構造を備える強磁性材料を含む第２の構成要素２２０を更に含む。第２の構成要素２２０は、第１の側２２２と、反対側２２４とを有し、少なくとも第１の側は、半径方向磁極構造を備える強磁性材料を含む。第２の構成要素２２０の第１の側２２２は、第１の構成要素２１０の磁化側２１２に面している。ある実施形態によれば、振動低減アセンブリは、調節デバイス２５０によって第２の構成要素２２０に調節可能に接続されるシャフト２４０を含む。第２の構成要素は、第１の側２２２から第１の構成要素２１０の磁化側２１２に向かって延びる複数の延長部２６０を含んでもよい。
【００３４】
図３に示すように、第１の構成要素２１０の磁化側２１２及び第２の構成要素２２０の第１の側２２２は、互いに反対に位置付けられ、或いは互いに面し合って位置付けられる。しかしながら、２つの構成要素は、第１の構成要素２１０の磁化側２１２と第２の構成要素２２０の第１の側２２２との間に第１の距離を有する空隙２８０(air  gap)を伴って位置付けられる。空隙の第１の距離は、第１の構成要素２１０及び／又は第２の構成要素２２０を他方に対して移動させることによって増加又は減少させることができる。空隙が減少し、第１の構成要素２１０の磁化側２１２が第２の構成要素２２０の第１の側２２２に接近するにつれて、磁気引力及び反発力はより大きくなり、振動吸収はより大きくなる。空隙が増大し、第１の構成要素２１０の磁化側２１２が第２の構成要素２２０の第１の側２２２から更に離れるにつれて、磁気引力及び反発力はより小さくなり、振動吸収はより小さくなる。空隙のサイズを微調整することは、本明細書に記載する或いは本明細書で想定される振動吸収システムの微調整能力をもたらす。空隙のサイズは、第１の構成要素２１０をシャフト２４０に沿って第２の構成要素２２０により近づくように或いは第２の構成要素２２０から離れるように移動させること、及び／又は第２の構成要素を第１の構成要素２１０により近づくよう或いは第１の構成要素２１０から離れるように移動させることを含むが、これらに限定されない、多くの異なる方法で調節されることができる。
【００３５】
図４を参照すると、１つの実施形態において、第１の構成要素２１０の磁化側２１２の概略図がある。第１の構成要素は、交番磁極２３０の半径方向磁化パターンを含み、磁極２３２の１つおきの磁極は、第１の磁極であり、交番磁極２３４は、反対磁極である。例えば、磁極２３２は、Ｎ極であってよく、磁極２３４は、Ｓ極であってよく、逆もまた同様である。図４に略台形として示されているが、磁極２３０は、正方形、円形、三角形、四角形、又は任意の他の形状又はサイズを含む、任意の形状又はサイズであってよい。
【００３６】
図５を参照すると、１つの実施形態において、第２の構成要素２２０の第１の側２２２の概略図がある。第２の構成要素は、第１の側２２２から第１の構成要素の磁化側に向かって外向きに延びる複数の延長部２６０を含む。少なくとも複数の延長部２６０は、半径方向磁極構造を備える強磁性材料を含む。ある実施形態によれば、振動低減アセンブリは、調節デバイス又は構成要素２５０によって第２の構成要素２２０に調節可能に接続されるシャフト２４０を更に含む。
【００３７】
強磁性材料を含む、第２の構成要素２２０の第１の側２２２から延びる延長部２６０は、引力及び反発力が振動吸収をもたらすように、第１の構成要素２１０の交番磁極２３０と整列する。図６を参照すると、１つの実施形態において、交番磁極２３２、２３４を備える第１の構成要素２１０の磁化側２１２の概略的な表現があり、第２の構成要素２２０の延長部２６０のみがオーバーレイで示されている。図には示されていないが、第１の構成要素２１０の磁化側２１２は、空隙２８０によって第２の構成要素２２０の延長部２６０から分離されている。
【００３８】
図６に示すように、第２の構成要素２２０の延長部２６０の各々は、一組の交番磁極２３２及び２３４の間で略整列される。これは振動吸収をもたらす引力及び反発力を提供する。シャフトは前後に振動するので、第２の構成要素２２０は前後に振動して、延長部２６０を前後に振動させる。第１の構成要素は所定の場所に固定されるので、延長部２６０の各々は、延長部を引き付ける或いは反発させる最も近い磁極２３０と相互作用する。例えば、図７に示すように、第２の構成要素２２０は、左に向かって回転し、複数の延長部２６０は、磁極が延長部に対して引き付ける或いは反発する磁力を有する磁極２３４により近接して回転させられる。図８において、第２の構成要素２２０は、右に向かって回転し、複数の延長部２６０は、磁極が延長部に対して引き付ける或いは反発する磁力を有する磁極２３２により近接して回転させられる。従って、モータ内の慣性の故に、磁極構造は、望ましくない振動を最小にするために利用することができる共振周波数を含む。
【００３９】
図９を参照すると、１つの実施形態において、第１の構成要素２１０と、第２の構成要素２２０と、調節デバイス２５０とを含む、振動低減アセンブリ２００を備える、パーソナルケアデバイス１０の概略的な表現がある。この実施形態において、シャフト２４０は、第２の構成要素２２０に調節可能に接続され、第２の構成要素２２０は、第１の構成要素２１０の磁化側２１２に面する複数の延長部２６０を含む。第１の構成要素２１０の磁化側２１２は、第２の構成要素２２０から間隙２８０によって分離される。第１の構成要素２１０は、本体部分のハウジング１２に固定的に取り付けられる。
【００４０】
ある実施形態によれば、パーソナルケアデバイス１０は、振動吸収機構の調節を可能にする調節デバイス又は構成要素２５０を含む。調節デバイス又は構成要素２５０は、空隙２８０のサイズの調節を可能にする任意の機構又は構成であってよい。例えば、第１の構成要素２１０がハウジング１２に固定的に取り付けられるならば、調節デバイス又は構成要素２５０は、シャフト２４０に沿って第２の構成要素を移動させるなど、第１の構成要素２１０に対する第２の構成要素２２０の配置を調節してよい。例えば、図３に示すように、調節構成要素２５０は、第２の構成要素２２０とシャフト２４０との間の接続を容易にする１つ又はそれよりも多くのボールベアリング２５２又は板バネを含んでよい。ボールベアリング又は板バネは解放可能であってよく、或いはさもなければ第２の構成要素２２０がシャフト２４０に沿ってスライドするのを可能にするよう調節されてよい。例えば、調節構成要素２５０は、ボールベアリングによってシャフトに加えられる力を解放するようユーザによってアクティブ化されるアクチュエータを含んでよく、よって、第２の構成要素は、シャフトに沿って自由にスライドする。微調整を可能にするために、調節構成要素２５０は、ユーザがアクチュエータを１つの事前設定位置から別の事前設定位置に移動させることができるように、一連の事前設定位置を含んでよく、第１の構成要素は、第１の構成要素により近接する方向に又は第１の構成要素から離れる方向に移動する。別の実施形態によれば、調節デバイス又は構成要素２５０は、第２の構成要素に対する第１の構成要素の配置を調節してよい。調節デバイス又は構成要素２５０は、ユーザインタフェースの一部であり得る任意の内部マニピュレータを含んでよい。システムは、振動レベルを通じてシステムを調節する必要性をユーザに伝達することができ、デバイスは、同じ歯磨き振幅で動作している間に調節されることができる。
【００４１】
ある実施形態によれば、振動低減機構２００の共振周波数は、各々の特異なパーソナルケアデバイスについて個別に調整されることができる。例えば、デバイスが作動している間にハンドル上の振動レベルを測定し、空隙のサイズをゆっくり調節することによって、適切な設定を決定することができる。従って、吸収器の特性を直接的に測定する必要はない。
【００４２】
第１の構成要素２１０及び第２の構成要素２２０の多くの他の構成が可能である。例えば、図１０を参照すると、第１の構成要素２１０及び第２の構成要素２２０を備えるパーソナルケアデバイス１０の実施形態がある。この実施形態において、シャフト２４０は、第１の構成要素２１０を横断しない。第２の構成要素２２０は、複数の強磁性延長部２６０を含むが、これらの延長部は、図９に示すように、デバイスの頂部３２０に面するというよりもむしろ、デバイスの底部３１０に面する。従って、第１の構成要素２１０の磁化面は、第２の構成要素２２０の強磁性延長部２６０が第１の構成要素２１０の磁化面に面するよう、デバイスの前面３２０に面する。
【００４３】
図１１を参照すると、第１の構成要素２１０及び第２の構成要素２２０を備えるパーソナルケアデバイス１０の別の実施形態がある。この実施形態において、第１の構成要素２１０は、複数の強磁性延長部２６０を含み、第２の構成要素２２０は、交番磁極の半径方向磁化パターンを備える磁化面を含む。図１２を参照すると、第１の構成要素２１０及び第２の構成要素２２０を備えるパーソナルケアデバイス１０の別の実施形態がある。この実施形態において、第１の構成要素２１０は、複数の強磁性延長部２６０を含み、第２の構成要素２２０は、交番磁極の半径方向磁化パターンを備える磁化面を含む。この実施形態において、シャフト２４０は、第１の構成要素２１０を横断する。図中に略同じ位置に位置付けられた移動生成器及び振動低減機構が示されているが、移動生成器及び振動低減機構は、それが便利である、空隙を調節することができる、且つ／或いは振動を最小限するのに配置が最も効果的である、ハンドル内のどの場所でも位置決めされることができる。振動低減は、回転軸が歯ブラシの主移動の回転軸に平行である限り、ハウジング内の振動低減機構の位置に拘わらず機能する。
【００４４】
一例において、共振器は、歯ブラシの共振周波数と同じ２５７Ｈｚの共振周波数を有する。これはハンドル振動を減少させ、予期せぬことに、歯ブラシの振動も増加させる。ある実施形態によれば、振動低減は、共振器システムにおける減衰が可能な限り低いときに最大化される。これは、例えば、ラメラ鉄、又は電気的に絶縁された粒子を備える焼結構造を使用して達成されることがある。渦電流に起因する内部損失は、運動の減衰と同様に最小限に抑えられる。
【００４５】
本明細書中で定義され且つ使用されるとき、全ての定義は、辞書的定義、参照により援用される文献中の定義、及び／又は定義される用語の通常の意味を支配するものと理解されるべきである。
【００４６】
本明細書中で定義され且つ使用されるとき、単数形の表現は、反対のことが明確に示されていない限り、「少なくとも１つ」を意味するものと理解されるべきである。
【００４７】
本明細書及び請求項中で使用されるとき、「及び／又は」という句は、そのように連結される要素、即ち、幾つかの場合には結合的に存在し、別の他の場合には分離的に存在する要素の、「一方又は両方」を意味するものと理解されるべきである。「及び／又は」で列挙される複数の要素は、同じように、即ち、そのように連結された要素の「１つ又はそれよりも多く」と解釈されるべきである。「及び／又は」句によって具体的に特定される要素以外の他の要素が、具体的に特定されるそれらの要素に関係しようが関係しまいが、任意的に存在してよい。
【００４８】
本明細書及び請求項中で使用されるとき、「又は」は、上記で定義された「及び／又は」と同じ意味を有するものと理解されるべきである。例えば、リスト中の品目を分離するとき、「又は」又は「及び／又は」は、包括的であると解釈されるべきである、即ち、多数の要素の又は要素のリストのうちの少なくとも１つを含むが、１つよりも多くを含み、任意的に、追加的なリストされていない品目を含むものと解釈されるべきである。「〜のうちの１つのみ」又は「〜のうちの正確に１つ」のような、明確に反対のことが示された用語のみが、或いは請求項において使用されるときの「〜なる」が、多数の要素又は要素のリストのうちの正確に１つの要素を含むことを意味する。一般的に、本明細書中で使用されるとき、「又は」という用語は、「いずれか」、「〜のうちの１つ」、「〜のうちの１つのみ」又は「〜のうちの正確に１つ」のような排他性の用語が先行するときに、排他的な代替（即ち、「いずれか一方であるが、双方ではない」）を示すものとしてのみ解釈されるべきである。
【００４９】
本明細書及び請求項中で使用されるとき、「少なくとも１つ」という句は、１つ又はそれよりも多くの要素のリストへの参照において、要素のリスト中の要素のいずれか１つ又はそれよりも多くの要素から選択される少なくとも１つの要素を意味すると理解されるべきであるが、要素のリスト中に具体的に列挙される各々の要素及びあらゆる要素のうちの少なくとも１つを必ずしも含まず、要素のリスト中の要素の如何なる組み合せも排除しない。この定義は、「少なくとも１つ」という句が指す要素のリスト中で具体的に特定される要素以外の要素が、具体的に特定されるそれらの要素に関係しようが関係しまいが、任意的に存在してよいことも許容する。
【００５０】
明確に反対のことが示されていない限り、１つよりも多くのステップ又は行為を含む本明細書中において請求されるあらゆる方法において、方法のステップ又は行為の順序は、方法のステップ又は行為が引用される順序に必ずしも限定されないことも理解されるべきである。
【００５１】
請求項において並びに上記明細書において「含む(comprising)」、「含む(including)」、「保有する(carrying)」、「有する(having)」、「含有する(containing)」、「包含する(involving)」、「保持する(holding)」、「〜なる(composed  of)」等のような、全ての移行句は、開放端であると理解されるべきである、即ち、非限定的に含むことを意味するものと理解されるべきである。「〜なる」及び「専ら〜なる」という移行句のみが、それぞれ、閉塞又は半閉塞の移行句である。
【００５２】
幾つかの発明的実施形態を本明細書中に記載し且つ例示したが、当業者は、機能を実施し、且つ／或いは本明細書中に記載する利点のうちの１つ又はそれよりも多く及び／又は結果を得るために、様々な他の手段及び／又は構造を容易に心に描き、そのような変形及び／又は修飾の各々は、本明細書中に記載された発明的な実施形態の範囲内にあるとみなされる。より一般的には、当業者は、本明細書に記載される全てのパラメータ、寸法、材料、及び構成が、例示的であることを意図すること、並びに実際のパラメータ、寸法、材料、及び／又は構成が、発明的な教示が用いられる特定の用途又は特定の複数の用途に依存することを容易に理解するであろう。当業者は、日常的に過ぎない実験を用いて、本明細書中に記載する特定の発明的な実施形態に対する多くの均等物を認識し、或いはそれらを確認することができるであろう。従って、前述の実施形態は、一例として提示されているに過ぎず、添付の請求項及びそれらの均等物の範囲内で、発明的な実施形態は、具体的に記載され且つ特許請求されるものと異なって実施されてよいことが理解されるべきである。本開示の発明的な実施形態は、本明細書中に記載される各々の構成、システム、物品、材料、キット及び／又は方法に向けられる。加えて、２つ又はそれよりも多くのそのような構成、システム、物品、材料、キット、及び／又は方法のいずれのあらゆる組み合わせは、そのような構成、システム、物品、材料、キット、及び／又は方法が相互に矛盾しないならば、本開示の発明的な範囲内に含まれる。
【図１】
2020528985.tif 000003
【図２】
2020528985.tif 000004
【図３】
2020528985.tif 000005
【図４】
2020528985.tif 000006
【図５】
2020528985.tif 000007
【図６】
2020528985.tif 000008
【図７】
2020528985.tif 000009
【図８】
2020528985.tif 000010
【図９】
2020528985.tif 000011
【図１０】
2020528985.tif 000012
【図１１】
2020528985.tif 000013
【図１２】
2020528985.tif 000014
【国際調査報告】
2020528985.tif 000015
2020528985.tif 000016
2020528985.tif 000017